(57)【要約】      （修正有）【課題】呼制御とベアラ制御とが分離された通信ネットワークにおいて、呼制御ＧＷとベアラＧＷが固定的な１対１の対応を持たなくて良いようにする。【解決手段】転送された情報を解釈するための情報要素及び方法が、情報に関係する受信側及び送信側に格納される。これによって、情報の受信側及び送信側は、プロトコルが設計されたときの計画よりも多くの情報を送信することができる。従って、単一の機器に代えて、ペイロード送信機と制御ノードとの組み合わせを用いることが可能である。割り当てをさらなる割り当てとして考慮できる。これにより、現在の無線接続制御装置への割り当てを変更することが可能となる。【選択図】図１
2010114910.tif 000002
【特許請求の範囲】
【請求項１】
呼制御とベアラ制御とが分離された通信ネットワークに係る制御ノード（ＧＭＳＣ）と、モノリシック・シグナリングを伴うネットワーク（ＮＷ１）に係る中継交換局（ＴＳ１）との間でインターワーキングを実行するための方法において、ペイロードインタフェースとして機能する１以上のペイロード送信機器（ＭＧＷ１， ＭＧＷ２）を前記制御ノード（ＧＭＳＣ）に制御させる方法であって、
制御ノード（ＧＭＳＣ）とペイロード送信機器（ＭＧＷ１， ＭＧＷ２）との組み合わせを単一の機器として前記中継交換局（ＴＳ１）が認識して動作するステップを含み、
前記中継交換局（ＴＳ１）は、複数ある前記組み合わせのそれぞれを異なる機器として認識して動作することを特徴とする方法。
【請求項２】
請求項１に記載の方法であって、ペイロード送信機器（ＭＧＷ１、ＭＧＷ２）の識別情報、または制御ノード（ＧＭＳＣ）およびペイロード送信機器（ＭＧＷ１、ＭＧＷ２）の組み合わせの識別情報は、前記制御ノード（ＧＭＳＣ）と前記中継交換機（ＴＳ１）との間で送信される呼の試行情報に含められていることを特徴とする方法。
【請求項３】
請求項１に記載の方法であって、制御ノード（ＧＭＳＣ）と中継交換機（ＴＳ１）との間で送信される呼の試行情報に係るルート（ＣＯＮ１、ＣＯＮ２）により、ペイロード送信機器（ＭＧＷ１、ＭＧＷ２）、または、制御ノードと（ＧＭＳＣ）とペイロード送信機器（ＭＧＷ１、ＭＧＷ２）との組み合わせが識別されることを特徴とする方法。
【請求項４】
請求項１または２に記載の方法であって、メディアゲートウェイの識別は、イニシャル・アドレス・メッセージ（ＩＡＭ）に搭載されて送信される宛先ポイントコードまたは発側ポイントコードに基づいて実行されることを特徴とする方法。
【請求項５】
請求項１または２に記載の方法であって、メディアゲートウェイの識別は、イニシャル・アドレス・メッセージ（ＩＡＭ）に搭載されて送信される回線識別コードにより実行されることを特徴とする方法。
【請求項６】
無線ネットワーク制御装置（ＲＮＣ）と、少なくとも論理的に分割された呼制御とベアラ制御とを実装したセルラーネットワークの第１のメディアゲートウェイ（ＭＧＷ１）との間におけるペイロード・コネクションを再度割り当てる方法であって、
前記無線ネットワーク制御装置（ＲＮＣ）にサービスを提供し、前記第１のメディアゲートウェイ（ＭＧＷ１）を制御する制御ノード（ＭＳＣ）によって再度の割り当てを開始し、
前記無線ネットワーク制御装置（ＲＮＣ）とユーザー機器間のコネクションを維持しつつ、前記無線ネットワーク制御装置（ＲＮＣ）と前記第１のメディアゲートウェイ（ＭＧＷ１）との間の前のコネクションを開放し、
前記無線ネットワーク制御装置（ＲＮＣ）と第２のメディアゲートウェイ（ＭＧＷ２）もしくは前記第１のメディアゲートウェイ（ＭＧＷ１）のアナログ論理ポイント（Ｐｏ２）との間に新しいコネクションを設定することを特徴とする方法。
【請求項７】
請求項６に記載の方法であって、前記新しいコネクションは、前記前のコネクションとは異なる能力を有しており、さらに、付加的なステップとして、
前記無線ネットワーク制御装置（ＲＮＣ）と前記ユーザー機器との間のコネクションを開放し、
前記メディアゲートウェイと前記無線ネットワーク制御装置との間の前記新しいコネクションの能力に対し適切な能力を備えた無線ネットワーク制御装置（ＲＮＣ）と前記ユーザー機器との間に新しいコネクションを設定する
ことを特徴とする方法。
【請求項８】
請求項６または７に記載の方法であって、前記無線ネットワーク制御装置（ＲＮＣ）にサービスを提供していない制御ノード（ＧＭＳＣ）により開始される再経路制御であり、付加的なステップとして、
前記無線ネットワーク制御装置（ＲＮＣ）を制御する前記制御ノード（ＭＳＣ）に対し信号を送信することによって再経路制御を開始することを特徴とする方法。
【請求項９】
請求項１、２、３、６、７または８のいずれか１項に記載された方法であって、
前記ネットワークが、分離された呼制御とベアラ制御を備えたＵＭＴＳネットワークであることを特徴とする方法。
【請求項１０】
請求項１、２、３、６、７または８のいずれか１項に記載された方法であって、
前記ネットワークは、分離された呼制御とベアラ制御を持つＧＳＭネットワークであることを特徴とする方法。
【請求項１１】
請求項１乃至３、請求項６乃至８のいずれか１項に記載された方法を使用し、該方法がその中で使用され、又は該方法によって制御される通信ネットワーク。
【請求項１２】
請求項１乃至３、請求項６乃至８のいずれか１項に記載された方法を使用するソフトウエアプログラムであって、呼制御とベアラ制御とが分離されてなる通信ネットワークを制御することを特徴とするソフトウエアプログラム。
【発明の詳細な説明】
【技術分野】
【０００１】
本願発明は、例えば、ＧＳＭ（移動体通信のための統合システム）やＵＭＴＳ（一般移動通信システム）のように呼制御とベアラ制御とが分離されているネットワークにおいて、通信ネットワーク内の呼を経路変更する方法に関する。
【０００２】
さらに本願発明は、例えば、Ｃ７とＩＳＵＰ（ＩＳＤＮユーザー部）とを組み合わせるなどモノリシック・シグナリングを用いている通信ネットワークを、呼制御とベアラ制御とが分離されたネットワーク接続する方法に関している。
【背景技術】
【０００３】
最近、呼制御およびベアラ制御を少なくとも論理的に分離された通信ネットワークが提案されている。例えば、１９９８年７月に発行されたＩＥＴＦの草稿である、ＳＳ７−インターネットエンジニアリング−アーキテクチャフレームワークでは、そのようなネットワークアーキテクチャのための概念が導入されている。しかし、ＩＥＴＦの草稿には呼制御とベアラ制御との分離について大雑把な概念だけが含まれているに過ぎない。
【発明の概要】
【発明が解決しようとする課題】
【０００４】
モノリシック・シグナリングを伴う他のネットワークと接続するといった上記の概念は、呼制御とベアラ制御との分離、シグナリング、独立した呼制御転送（ペイロードの送信から独立した呼制御）を備えた通信ネットワークをサポートしておらず、シグナリング用のインタフェース手段とペイロード送信用のインタフェース手段との間に１対１の関係があることを前提としている。これらのインタフェース手段間における１対１の関係は、呼の要件に依存することなく、ペイロード・コネクションと同一のインタフェース手段によって常にインターワーキングすることを通信ネットワークのシグナリング・インタフェース手段に強いるものである。これは、例えば、ＩＳＤＮシグナリングを伴う固定ネットワークと接続された、呼制御とベアラ制御とが分離されているＧＳＭネットワークにおいて、音声またはデータ呼である着信呼に依存することなく、シグナリング・ゲートウェイが常に同一のメディアゲートウェイに接続されていなければならないことを意味する。これは、呼制御とベアラ制御との分離により提供された機会を完全には利用しておらず、柔軟性のないアーキテクチャとなっている。
【０００５】
さらなる柔軟性の不足は、呼を開放することなく、選択されたペイロード送信機を変更することを可能にするメカニズムが欠如していることである。
【０００６】
米国特許第５，４６１，６６９号では、呼制御とベアラ制御とが分離された固定電話ネットワークが開示されている。それゆえ、呼制御機能に係る第１の実行処理、サービス制御機能に係る第２の実行処理及びベアラ制御機能に係る第３の実行処理といった３つの主要な機能が紹介されている。このネットワークにおいては、発呼者と被呼者との間で多重コネクションの確立、開放及びパラメータの修正が可能である。しかしながら、米国特許第５，４６１，６６９号は固定ネットワークにおける解決策を提供するにとどまり、コネクションの経路変更方法については開示していない。
【０００７】
従って、本発明の目的は、呼制御とベアラ制御との分離に基づいて、移動通信用のネットワークにおけるコネクションのより柔軟な処理をサポートすることである。
【０００８】
本発明のさらなる目的は、ＩＳＵＰとＣ７とを組み合わせたようなモノリシック・シグナリングを備えるネットワークを、独立した呼制御転送処理を備える通信ネットワークと結合させることである。
【０００９】
本願発明の目的は、また、既存のシグナリングプロトコルを変更せずに、分離された呼制御とベアラ制御とを備えるネットワークに対し、より高い柔軟性を提供することである。
【００１０】
本願発明の他の目的は、すでに割り当てられていた無線接続送信機に対し、さらなる割り当てを可能にすることである。
【課題を解決するための手段】
【００１１】
これは、請求項１と６の方法、請求項１１の通信システム、および請求項１２のソフトウエアプログラムより効果的に解決される。
【００１２】
本方法を実施するには、既存のプロトコルの変更を必要としないことが有利な点である。これは実施のために必要なコストと時間とを削減するものである。特に、加入者とのコネクションを開放せずに、すでに割り当てられていた無線接続ネットワーク制御装置の再割当てが可能なため有効である。これは、呼の中断なしで機器障害を処理することが可能になる。
【００１３】
さらに有利な実施形態及びインプリメンテーションは、請求項２乃至５、請求項７乃至１０に従って達成される。
【００１４】
特に、請求項３によれば、識別のために異なる経路を使用することで識別が容易となり、経路スイッチとシグナリング・インタフェースとの間でペイロード送信機の識別が、識別のためのネットワークから内部的に独立して処理される点で有効である。
【００１５】
請求項４によれば、宛先及び／又は発信ポイントのコードによる機器の識別は非常に有効である。第一に、これらのコードは、イニシャル・アドレス・メッセージにおいてすでに使用されているパラメータであり、第二に、それらのコードは、機器を識別するためにすでに使用されているからである。既存のインプリメンテーションに本発明を適用する際に、これらのコードを用いることで既存のインプリメンテーションに対して必要な変更を削減できよう。
【００１６】
さらに、請求項５によれば、回線識別コードを使用することで、インタフェースにおける識別から、ネットワークにおける識別処理を独立させることができる点で大変有効である。さらに、コネクションの設定をするためには回線識別コードの予約が実行されなければならない。これは、ネットワークを設定している間の余計な処理を節約するものである。
【００１７】
請求項７によれば、特に、既存のペイロード・コネクションを変更する能力を有している点が効果的である。これは、新しい呼の設定を必要とすることなく、使用されるアプリケーショを柔軟に変更することができる。
【００１８】
請求項１０によれば、サービスを提供している制御ノードとは異なる制御ノードによって再割当てが開始されるので非常に有効である。これにより、異なるノードによってエラーを検出したり、または、コネクションを最適化したりすることが可能となる。
【図面の簡単な説明】
【００１９】
【図１】図１は、ＵＭＴＳ通信システムにより終端されるモノリシック・シグナリングを用いる、他のネットワークにおいて生起される呼設定を示す図である。
【図２】図２は、ＵＭＴＳ通信システムにより終端されるモノリシック・シグナリングを用いる、他のネットワークにおいて生起される第２の呼設定を示す図である。
【図３】図３は、呼制御とベアラ制御とが分離されたＵＭＴＳネットワークにおける、無線ネットワーク制御装置の再割当てを示す図である。
【図４】図４は、無線ネットワーク制御装置にサービスを提供しない制御ノードによって開始される、無線ネットワーク制御装置の再割当てを示す図である。
【発明を実施するための形態】
【００２０】
以下において、本願発明は例と図を用いてさらに説明される。
【００２１】
新しいアーキテクチャを実装するためには、無線ネットワーク制御装置より下位のレベルについては、現在のＵＭＴＳまたはＧＳＭシステムを変更する必要がないので、これらの部分は説明しない。本発明の説明のためには重要でないので、リソースの開放も説明しない。
【００２２】
本発明は、分離された呼制御及びベアラ制御を有する通信システムとモノリシック送信を用いる他のネットワークの経路スイッチとの間で実行されるコネクションの設定を処理するものである。これにより、ＴＩＣＣ（独立呼制御転送）通信システムに、モノリシック・シグナリングを用いる通信システムを結合できるようになる。これらのシステムを結合する際の１つの問題は、モノリシック・シグナリング・システムが呼制御とベアラ制御の分離をサポートしていないことと、１以上のペイロード送信機と１つのシグナリング・インタフェース機器とをインターワーキングさせることとをサポートしていないことである。
【００２３】
ペイロード送信機またはそのような機器の論理ポイントが、通信中の呼を中断することなく交換される必要がある場合に、どのようにして呼が再経路制御されるかも記述される。
【００２４】
本来はＧＳＭ通信ネットワークもＵＭＴＳ通信ネットワークも、呼制御とベアラ制御の分離をサポートしていないが、これらの通信ネットワークは、新しいアーキテクチャを実装可能なネットワークの一例としてとりあげている。以下において、いくつかの定義が与えられる。ベアラ制御とは、セルラーネットワークを通して経路を選択するための制御であり、呼制御により指示された通りに必要となるリソースを予約したり、開放したり及び設定したりするなどリソースを利用するものである。呼制御は、加入者とサービス制御に関連するシグナリング（信号接続）の側面を有する。論理ポイントは、ペイロード送信機内の基準となるものであり、ペイロード送信の識別情報とともに任意のコネクションポイントを識別するものである。
【００２５】
制御ノードはアプリケーションロジックを提供する。例えば、ＧＳＭにおける制御ノードとは、移動通信交換局、ゲートウェイ移動通信交換局及び基地局制御装置のことであり、ＵＭＴＳにおいては、無線ネットワーク制御装置と呼ばれるものである。
【００２６】
例えば、アプリケーションとは、ＧＳＭ、Ｄ−ＡＭＰＳ（米国デジタル携帯電話システム）、ＰＤＣ（パーソナル・デジタル・セルラー）またはＵＭＴＳであるかもしれない。
【００２７】
メディアゲートウェイは、ユーザープレーンを修正したり、切り換えたりするものである。メディアゲートウェイは、通知情報の生成処理、トーンの生成処理、エコーキャンセル処理、データ呼を扱うためのモデム処理、及び音声呼を処理するための符号化処理などを実行する。
【００２８】
無線アクセスネットワーク制御装置は、コアネットワークをアクセスネットワークへと接続するものであり、この無線アクセスネットワーク制御装置の例としては、基地局サブシステム及び無線ネットワーク制御装置がある。
【００２９】
シグナリング・ゲートウェイは、ＳＴＭ（同期転送モード）ベースのＣ７からＡＴＭ（非同期転送モード）ベースのＣ７へ又はその逆から逆へと変換するように、シグナリングメッセージのベアラ（速度）変換を実行するものである。
【００３０】
シグナリング・インタフェース機器は、通信ネットワークの呼制御とモノリシック・シグナリングを用いている転送独立な呼制御とをインタフェースする。この機器は、例えば、シグナリング・ゲートウェイを介して接続された制御ノードなどである。
【００３１】
モノリシック・シグナリングとは、呼制御とベアラ制御との分離には対応していないシグナリングシステムのことであり、このモノリシック・シグナリングの例をあげるとすれば、ＩＳＵＰとＣ７の組み合わせなどが該当しよう。
【００３２】
転送独立の呼制御とは、モノリシック・シグナリングとは反対に、呼制御とベアラ制御の分離をサポートしているものをいう。
【００３３】
モノリシック・シグナリングを備えるネットワークからのシステム間連絡は、中継交換機を介してインタフェースされる。モノリシック・シグナリングは呼制御とベアラ制御の分離をサポートしておらず、とりわけ、１のシグナリング・ゲートウェイと１以上のメディアゲートウェイとのインターワーキングをサポートしていない。ＩＳＵＰシグナリングとＡＡＬ２ペイロードの送信機能とを備えるとＵＭＴＳ通信ネットワークのゲートウェイ移動通信交換局ＧＭＳＣをいくつかのメディアゲートウェイとインターワーキングさせるためには、選択する中継交換機に対してメディアゲートウェイの選択をトランスペアレントにさせる方法が必要となる。中継交換機の観点から、メディアゲートウェイと制御ノードとの各組み合わせは、呼制御とベアラ制御とを処理する１つの異なったインタフェースとして具現化される。
【００３４】
本発明では、この動作を達成するための３つの方法が紹介される。このうちの２つは図１において説明され、３つめは図２において説明される。ＭＧＷ１またはＰｏ２のような等しいラベルは、図１、図２、図３及び図４に亘って等しい手段を表している。
【００３５】
以下において、発明は図１を用いて説明される。
【００３６】
第１のステップにおいて、中継交換機ＴＳ１が、呼を処理する能力を備えるインタフェースを選択する。その後、中継交換機ＴＳ１は、ＩＳＤＮ（統合デジタル通信網）のイニシャル・アドレス・メッセージＩＡＭを、シグナリング・ゲートウェイＳｉｇＧＷを介してゲートウェイ移動通信交換局ＧＭＳＣに送信する。イニシャル・アドレス・メッセージは、他の情報とともに宛先ポイントコード及び回線識別コードを含んでいる。宛先ポイントコードはゲートウェイ移動通信交換局のアドレスのことである。回線識別コードは、選択された一定のコネクションを識別するためのものである。
【００３７】
第１の方法では、メディアゲートウェイと関門移動通信交換局の組み合わせを識別するための識別情報として宛先ポイントコードを使用する。これは、関門移動通信交換局ＧＭＳＣが、いくつかの宛先ポイントコードを所有しており、メディアゲートウェイごとに１つの宛先ポイントコードが、それとともに動作している。次のステップにおいて、関門移動通信交換局ＧＭＳＣは、中継交換機ＴＳ１によって必要とされるメディアゲートウェイを割り当てる割当手段を検索する。この例では、メディアゲートウェイＭＧＷ１が該当する。関門移動通信交換局ＧＭＳＣは、選択されたメディアゲートウェイＭＧＷ１に連絡し、回線識別コードを含んだリソース要求を送信する。メディアゲートウェイＭＧＷ１は、リソース応答を送ってリソースを付与する。その後、関門移動通信交換局ＧＭＳＣは、メディアゲートウェイに対し、中継交換機ＴＳ１から着信論理ポイントＰｉ１を経由して論理ポイントＰｖ１に貫通接続するよう指示する。説明の完全をきすため、発信ポイントＰｏ１が示されている。後続のステップにおいて、関門移動通信交換局ＧＭＳＣは必要とする経路情報をホーム・ロケーション・レジスタＨＬＲから取得する。関門移動通信交換局ＧＭＳＣは、移動通信交換局ＭＳＣを選択する。この移動通信交換局ＭＳＣにアドレスすることにより、関門移動通信交換局ＧＭＳＣは、移動通信交換局ＭＳＣ及びメディアゲートウェイＭＧＷ１の組み合わせに対する宛先ポイントコードを検索する。イニシャル・アドレス。メッセージ中の宛先ポイントコードにより、移動通信交換局ＭＳＣ及びメディアゲートウェイＭＧＷ１の組み合わせを識別するためには、この宛先ポイントコードは第１のイニシャル・アドレス・メッセージＩＡＭに含まれて送信される宛先ポイントコードとは異なっている必要がある。移動通信交換局ＭＳＣは、各メディアゲートウェイごとに１つのポイントコードを有しており、このポイントコードによってインターワーキングさせることが可能となる。
【００３８】
次のステップにおいて、関門移動通信交換局ＧＭＳＣは、宛先ポイントコードを含むイニシャル・アドレス・メッセージＩＡＭ２を送信して移動通信交換局ＭＳＣに呼制御をわたす。
【００３９】
この方法はまた、逆方向に対しても動作する。分離された呼制御とベアラ制御を有する通信ネットワークから他のネットワークＮＷ１へと呼が経路制御（ルーティング）される場合は、メディアゲートウェイの識別は、宛先ポイントコードに代えて発信ポイントコードによって実現される。発信ポイントコードにより、関門移動通信交換局ＧＭＳＣとメディアゲートウェイとの組み合わせを識別することができる。
【００４０】
第２の方法は、メディアゲートウェイを決定するために、回線識別コードを用いるものである。例として、ＰＣＭ（パルス符号変調方式）コネクションのタイムスロットにおいて、回線識別コードは任意のペイロード・コネクションを識別する。この回線識別コードは、例えば第１のメディアゲートウェイＭＧＷ１に１から１０までの回線識別コードを割り当て、第２のメディアゲートウェイに１１から２０までの回線識別コードを割り当てるというように、異なるメディアゲートウェイにマッピングされる。シグナリング・ゲートウェイは、割り当てられたメディアゲートウェイに回線識別コードをマッピングする。この第２の方法のステップは、回線識別コードに基づいて検索する点を除いて、第１の方法と同じである。この回線識別コードは、必ず、送信のために使用される物理コネクションと一致している。移動通信交換局ＭＳＣに送信されたイニシャル・アドレス・メッセージＩＡＭ２は、発信ポイントコード、宛先ポイントコード及び回線識別コード、またはこれらの代わりに、メディア・ゲートウェイ・アドレスおよび論理ポイントコードを含んでいてもよい。両方の情報ともそれぞれから引き出されうる。論理ポイントコードは、メディア・ゲートウェイ・アドレスとともに論理ポイントＰｖ１を識別する。論理ポイントＰｖ１から、移動通信交換局ＭＳＣがペイロード・コネクションのための呼制御を得る。
【００４１】
第１の方法のように、この方法はまた逆方向にも使用できる。このケースでは、呼が、分離された呼制御とベアラ制御を有する通信ネットワークから、モノリシック・シグナリングを有する他のネットワークＮＷ１へとルーティングされる。この方向では、また、回線識別コードは、関門移動通信交換局ＧＭＳＣとメディアゲートウェイとの組み合わせを識別するために使用される。識別のために使用された回線識別コードは、確かに、ペイロード送信のために使用されるＰＣＭタイムスロットなどの物理回線の識別でなければならない。
【００４２】
以下において、本発明は図２を用いて説明される。
【００４３】
図２は、モノリシックのＩＳＵＰを備えたネットワークＮＷ１と、分離された呼制御とベアラ制御を備えたＵＭＴＳネットワークとの間におけるインターワーキングを描いたものである。第１のステップにおいて、中継交換機ＴＳ１は、呼を処理する能力を備えたインタフェースを選択する。その後、中継交換機ＴＳ１はイニシャル・アドレス・メッセージＩＡＭをシグナリング・ゲートウェイＳｉｇＧＷを介して関門移動通信交換局ＧＭＳＣに送信する。他のネットワークの中継交換機ＴＳ１は、シグナリング・ゲートウェイＳｉｇＧＷ１と関門移動通信交換局ＧＭＳＣとに対し、各種のシグナリング・コネクションＣＯＮ１とＣＯＮ２を使用する。シグナリング・コネクションのそれぞれは、１対１の関係にあるメディアゲートウェイＭＧＷ１とＭＧＷ２とに割り当てられる。関門移動通信交換局ＧＭＳＣは、シグナリング・ルートに依存して決まり、そのメディアゲートウェイは中継交換機ＴＳ１により選択されている。移動通信交換局ＭＳＣに呼制御をわたすために、関門移動通信交換局ＧＭＳＣはイニシャル・アドレス・メッセージＩＡＭ２を送る。第２の方法のように、関門移動通信交換局ＧＭＳＣは、イニシャル・アドレス・メッセージＩＡＭ２の中に発側ポイントコード、宛先ポイントコード及び回路識別コード、あるいはメディア・ゲートウェイ・アドレスおよび論理ポイントコードを挿入する。
【００４４】
この方法は、また、関門移動通信交換局ＧＭＳＣとメディアゲートウェイとの組み合わせを識別するために使用することが可能であり、この場合は、呼が他のネットワークＮＷ１に向かって確立される。関門移動通信交換局ＧＭＳＣにより選択されたシグナリング経路により、中継交換機ＴＳ１に対する固有の前記組み合わせが識別される。
【００４５】
以下において、本発明は図３を用いて説明される。
【００４６】
図３は、メディアゲートウェイＭＧＷ１、移動通信交換局ＭＳＣ、および無線ネットワーク制御装置ＲＮＣを含むＵＭＴＳ通信ネットワークを抜粋したものである。無線ネットワーク制御装置ＲＮＣは、このケースにおいて、終端側の無線ネットワーク制御装置ＲＮＣとなる。抜粋された両方の側において、ネットワークおよびそのネットワーク内のシグナリングは本発明にとって重要ではないので説明を省略する。ペイロード・コネクションはすでにメディアゲートウェイＭＧＷ１の着側論理ポイントＰｉ１と接続されている。例えば、移動通信交換局ＭＳＣは、イニシャル・アドレス・メッセージを受信した後に、呼制御を担当する。第１のステップ１において、移動通信交換局ＭＳＣは無線ネットワーク制御装置ＲＮＣに対し、加入者を呼び出す（ページングする）よう指示する。無線ネットワーク制御装置ＲＮＣは呼び出し応答を受信し、呼の設定と呼の確認を実行する。第２のステップ２において、メディアゲートウェイＭＧＷ１のリソースが要求され、リソースが付与され、リソースは中間論理ポイントＰｖ１を介して発側論理ポイントＰｏ１へと接続される。次のステップ３において、移動通信交換局ＭＳＣは、無線ネットワーク制御装置ＲＮＣに呼を割り当てるよう指示する。無線ネットワーク制御装置ＲＮＣはコネクションの確立を要求し、メディアゲートウェイＭＧＷ１からコネクションを取得する。現在、ペイロード・コネクションは着側論理ポイントＰｉ１から無線ネットワーク制御装置ＲＮＣへと設定されている。次のステップ６において、無線ネットワーク制御装置ＲＮＣは、割り当て応答を移動通信交換局ＭＳＣに送信する。
【００４７】
移動通信交換局ＭＳＣは呼の再経路制御（リルーティング）を始める。この例において、次のステップ７において、移動通信交換局ＭＳＣがエラーメッセージを受信する。このエラーメッセージは、移動通信交換局ＭＳＣに、選択された論理ポイントＰｏ１に誤動作が発生したことを通知するものである。移動通信交換局ＭＳＣは、次のステップ８において、コネクションを要求し、新しいリソースへの中間論理ポイントＰｖ１のコネクションをメディアゲートウェイから取得する。次のステップ９において、リソースＰｏ１２が要求され、付与され、そして接続される。新しいペイロード・コネクションは現在、発信論理ポイントＰｏ１２と接続される。さらなるステップ１０において、移動通信交換局ＭＳＣは第２の割り当て要求を無線ネットワーク制御装置ＲＮＣに送信する。無線ネットワーク制御装置ＲＮＣは、この呼には既に割り当てが存在すると認識している。これは、割り当てメッセージとともに送信された呼の識別情報によって認識されるか、または、ＧＳＭネットワークにおいては、この割り当て情報を送信されるＳＣＣＰ（シグナリング・コネクション・コントロール・パート：信号接続制御部）のコネクションによって認識される。もし第２の割り当てが第１の割り当てとは異なるベアラ能力を必要とするならば、第２の割り当てが異なる割り当てタイプを有しているので、このことが認識される。異なるベアラ能力により、ユーザー機器との既存のコネクションを開放して新しいコネクションを設定することが無線ネットワーク制御装置ＲＮＣに強制される。無線ネットワーク制御装置ＲＮＣは第２の確立要求を送信し、次のステップ１１において第２の確立確認を受信する。無線ネットワーク制御装置ＲＮＣは、メディアゲートウェイＭＧＷ１の論理ポイントＰｏ１への現在のペイロード・コネクションを、メディアゲートウェイＭＧＷ２の論理ポイントＰｏ１２への新しいペイロード・コネクションと置換する。次のステップ１２において、無線ネットワーク制御装置ＲＮＣは第２の割り当て応答を移動通信交換局ＭＳＣに送信する。
【００４８】
以下において、本発明は図４に従って説明される。
【００４９】
図４は、メディアゲートウェイＭＧＷ１、移動通信交換局ＭＳＣ、関門移動通信交換局ＧＭＳＣ、および無線ネットワーク制御装置ＲＮＣを含むＵＭＴＳ通信ネットワークを抜粋したものを示す。無線ネットワーク制御装置ＲＮＣはこのケースで、着側の無線ネットワーク制御装置ＲＮＣとなる。抜粋された両方の側において、ネットワークおよびそのネットワーク内のシグナリングは本発明にとって重要ではないので説明を省略する。ペイロード・コネクションはすでにメディアゲートウェイＭＧＷ１の着信論理ポイントＰｉ１と接続されている。例えば、イニシャル・アドレス・メッセージを受信した後に、関門移動通信交換局ＧＭＳＣは呼制御を担当する。最初のステップ１において、関門移動通信交換局ＧＭＳＣは、ペイロード・コネクションのためのリソースを要求し、これがメディアゲートウェイＭＧＷ１から付与される。関門移動通信交換局ＧＭＳＣはまた、これらのリソースによるペイロード・コネクションの貫通コネクションを論理ポイントＰｖ１に要求する。次のステップ２において、関門移動通信交換局ＧＭＳＣは、イニシャル・アドレス・メッセージを送ることによって呼制御を移動通信交換局ＭＳＣに渡す。移動通信交換局ＭＳＣはリソースを要求し、メディアゲートウェイＭＧＷ１からリソースが付与され、次のステップ３において、前記リソースＰｏ１へのペイロード・コネクションの貫通コネクションを要求する。次のステップ４において、移動通信交換局ＭＳＣは、無線ネットワーク制御装置ＲＮＣに、呼び出しをするように命じる。移動通信交換局ＭＳＣは、ページング応答を受信し、呼設定を送信し、呼確認を受信し、割り当て要求を送信する。無線ネットワーク制御装置ＲＮＣは確立要求をメディアゲートウェイＭＧＷ１に送信し、次のステップ５において確立確認を受信する。そして、無線ネットワーク制御装置ＲＮＣは、次のステップ６において移動通信交換局ＭＳＣに割り当て応答を戻す。
【００５０】
関門移動通信交換局ＧＭＳＣは、使用されたペイロード送信経路の変更を開始する。さらなるステップ７において、関門移動通信交換局ＧＭＳＣはリソース要求を第２のメディアゲートウェイＭＧＷ２に送信する。前記第２のメディアゲートウェイは、リソース応答を返信し、貫通接続を要求される。次のステップ８において、変更割り当てメッセージを送信することにより、現在のメディアゲートウェイＭＧＷ１が第２のメディアゲートウェイＭＧＷ２に置換される必要があることを、関門移動通信交換局ＧＭＳＣが移動通信交換局ＭＳＣに通知する。この変更割り当てメッセージは、呼の識別情報と第２のメディアゲートウェイＭＧＷ２のメディア・ゲートウェイ・アドレスを少なくとも含むが、これは標準の一部ではない。例えば、この変更割り当てメッセージは、既存の呼のついては第２のイニシャル・アドレス・メッセージである。第２のイニシャル・アドレス・メッセージを送信することは未だ許可されていないので、これは本発明のために実施される必要がある。識別された呼への割り当てがすでに存在するので、移動通信交換局ＭＳＣは変更割り当てメッセージを識別できる。移動通信交換局ＭＳＣはリソースを必要とするので、次のステップ９において、第２のメディアゲートウェイからリソースが付与される。このステップにおいて、移動通信交換局ＭＳＣは、前記リソースを介して、ペイロード・コネクションの貫通コネクションを要求する。このケースにおいては、論理ポイントＰｖ２から論理ポイントＰｏ２へのものである。次のステップ１０において、移動通信交換局ＭＳＣは再割当て要求を無線ネットワーク制御装置ＲＮＣに送信する。この再割当ては既存の呼への第２の割り当てメッセージであってもよい。無線ネットワーク制御装置ＲＮＣは、この呼に対する割り当てが既に存在していると認識する。これは、割り当てメッセージによって送信される呼の識別情報によって認識され、あるいはＧＳＭネットワークにおいてはこの割り当てが貫通送信されるＳＣＣＰ（信号伝達コネクションコントロール部分）コネクションによって認識される。もし第１の割り当てとは異なるベアラ能力を第２の割り当てが必要とするならば、第２の割り当てが異なる割り当てタイプを有しているので、これが認識される。ベアラ能力が異なるので、ユーザー機器との既存のコネクションを開放して新しいコネクションを設定することを無線ネットワーク制御装置ＲＮＣは強制される。無線ネットワーク制御装置ＲＮＣは、確立要求を第２のメディアゲートウェイＭＧＷ２に送信し、次のステップ１１において確立確認を受信する。無線ネットワーク制御装置ＲＮＣはメディアゲートウェイＭＧＷ１の論理ポイントＰｏ１への現在のペイロード・コネクションを、第２のメディアゲートウェイＭＧＷ２の論理ポイントＰｏ２への新しいペイロード・コネクションと置換する。次のステップ１２において、無線ネットワーク制御装置ＲＮＣは第２の再割当て応答を移動通信交換局ＭＳＣに送信する。分離された呼制御とベアラ制御とを有する通信ネットワークは、本方法を実装するための手段を含んでおり、とりわけ、回線識別コード、ルート又は宛先ポイントコード及び発側ポイントコードを、制御ノードとペイロード送信機との組み合わせに対し割り当てる割当手段を備えている。
【００５１】
本ソフトウエアは、ペイロード送信機器、制御ノード、および無線アクセスネットワーク制御装置に実装される。本ソフトウエアは、説明された方法を使用して前記機器を制御する。
【図１】
2010114910.tif 000003
【図２】
2010114910.tif 000004
【図３】
2010114910.tif 000005
【図４】
2010114910.tif 000006
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
呼制御とベアラ制御とが分離された第１の通信ネットワークに係る制御ノード（ＧＭＳＣ）と、モノリシック・シグナリングを伴う第２のネットワーク（ＮＷ１）に係る中継交換局（ＴＳ１）と、の間でインターワーキングを実行するための方法であって、前記方法は、ペイロードインタフェースとして機能する１つ以上のペイロード送信機器（ＭＧＷ１， ＭＧＷ２）を前記制御ノード（ＧＭＳＣ）に制御させる方法であり、
前記方法は、
前記制御ノード（ＧＭＳＣ）と前記ペイロード送信機器（ＭＧＷ１， ＭＧＷ２）との組み合わせを示すメッセージを前記中継交換局（ＴＳ１）から受信するか、または、前記制御ノード（ＧＭＳＣ）と前記ペイロード送信機器（ＭＧＷ１， ＭＧＷ２）との組み合わせを示すメッセージを前記中継交換局（ＴＳ１）に向けて送信するステップを有し、
前記制御ノード（ＧＭＳＣ）とペイロード送信機器（ＭＧＷ１， ＭＧＷ２）との前記組み合わせのそれぞれが前記制御ノード（ＧＭＳＣ）によってそれぞれを異なる機器として識別されて取り扱われることを特徴とする方法。
【請求項２】
前記ペイロード送信機器（ＭＧＷ１、ＭＧＷ２）の識別情報は、宛先ポイントコードまたは発側ポイントコードに基づいていることを特徴とする請求項１に記載の方法。
【請求項３】
前記ペイロード送信機器（ＭＧＷ１、ＭＧＷ２）の識別情報は、前記メッセージに搭載されて送信される回線識別コードに基づいていることを特徴とする請求項１に記載の方法。
【請求項４】
前記ペイロード送信機器（ＭＧＷ１、ＭＧＷ２）の識別情報は、メディアゲートウェイ・アドレスまたは論理ポイントコードに基づいていることを特徴とする請求項１に記載の方法。
【請求項５】
前記識別情報は、イニシャル・アドレス・メッセージ（ＩＡＭ）に搭載されて送信されることを特徴とする請求項２ないし４のいずれか１項に記載の方法。
【請求項６】
前記第１のネットワークが、分離された呼制御とベアラ制御を備えたＵＭＴＳネットワークであることを特徴とする請求項１ないし５のいずれか１項に記載の方法。
【請求項７】
ソフトウエアプログラムであって、
請求項１乃至６のいずれか１項に記載された方法の各ステップをコンピュータに実行させることを特徴とするソフトウエアプログラム。
【請求項８】
呼制御とベアラ制御とが分離された第１の通信ネットワークに係る制御ノード（ＧＭＳＣ）であり、モノリシック・シグナリングを伴う第２のネットワーク（ＮＷ１）に係る中継交換局（ＴＳ１）との間でインターワーキングを実行し、ペイロードインタフェースとして機能する１つ以上のペイロード送信機器（ＭＧＷ１， ＭＧＷ２）を制御する前記制御ノード（ＧＭＳＣ）であって、
前記制御ノード（ＧＭＳＣ）と前記ペイロード送信機器（ＭＧＷ１， ＭＧＷ２）との組み合わせを示すメッセージを前記中継交換局（ＴＳ１）から受信するか、または、前記制御ノード（ＧＭＳＣ）と前記ペイロード送信機器（ＭＧＷ１， ＭＧＷ２）との組み合わせを示すメッセージを前記中継交換局（ＴＳ１）に向けて送信する手段を備え、
前記制御ノード（ＧＭＳＣ）とペイロード送信機器（ＭＧＷ１， ＭＧＷ２）との前記組み合わせのそれぞれが前記制御ノード（ＧＭＳＣ）によってそれぞれを異なる機器として識別されて取り扱われることを特徴とする制御ノード（ＧＭＳＣ）。
【請求項９】
前記ペイロード送信機器（ＭＧＷ１、ＭＧＷ２）の識別情報は、宛先ポイントコードまたは発側ポイントコードに基づいていることを特徴とする請求項８に記載の制御ノード（ＧＭＳＣ）。
【請求項１０】
前記ペイロード送信機器（ＭＧＷ１、ＭＧＷ２）の識別情報は、前記メッセージに搭載されて送信される回線識別コードに基づいていることを特徴とする請求項８に記載の制御ノード（ＧＭＳＣ）。
【請求項１１】
前記ペイロード送信機器（ＭＧＷ１、ＭＧＷ２）の識別情報は、メディアゲートウェイ・アドレスまたは論理ポイントコードに基づいていることを特徴とする請求項８に記載の制御ノード（ＧＭＳＣ）。
【請求項１２】
前記識別情報は、イニシャル・アドレス・メッセージ（ＩＡＭ）に搭載されて送信されることを特徴とする請求項９ないし１１のいずれか１項に記載の制御ノード（ＧＭＳＣ）。
【請求項１３】
前記第１のネットワークが、分離された呼制御とベアラ制御を備えたＵＭＴＳネットワークであることを特徴とする請求項８ないし１２のいずれか１項に記載の制御ノード（ＧＭＳＣ）。
【手続補正２】
【補正対象書類名】明細書
【補正対象項目名】００１１
【補正方法】変更
【補正の内容】
【００１１】
これは、請求項１の方法、請求項７のソフトウエアプログラム、および、請求項８の制御ノードにより効果的に解決される。
【手続補正３】
【補正対象書類名】明細書
【補正対象項目名】００１３
【補正方法】変更
【補正の内容】
【００１３】
さらに有利な実施形態及びインプリメンテーションは、請求項２乃至６、請求項９乃至１３に従って達成される。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項２、４によれば、宛先及び／又は発信ポイントのコードによる機器の識別は非常に有効である。第一に、これらのコードは、イニシャル・アドレス・メッセージにおいてすでに使用されているパラメータであり、第二に、それらのコードは、機器を識別するためにすでに使用されているからである。既存のインプリメンテーションに本発明を適用する際に、これらのコードを用いることで既存のインプリメンテーションに対して必要な変更を削減できよう。
【手続補正６】
【補正対象書類名】明細書
【補正対象項目名】００１６
【補正方法】変更
【補正の内容】
【００１６】
さらに、請求項３によれば、回線識別コードを使用することで、インタフェースにおける識別から、ネットワークにおける識別処理を独立させることができる点で大変有効である。さらに、コネクションの設定をするためには回線識別コードの予約が実行されなければならない。これは、ネットワークを設定している間の余計な処理を節約するものである。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【外国語明細書】
2010114910.tif 000007
2010114910.tif 000008
2010114910.tif 000009
2010114910.tif 000010
2010114910.tif 000011
2010114910.tif 000012
2010114910.tif 000013
2010114910.tif 000014
2010114910.tif 000015
2010114910.tif 000016
2010114910.tif 000017
2010114910.tif 000018
2010114910.tif 000019
2010114910.tif 000020
2010114910.tif 000021
2010114910.tif 000022
2010114910.tif 000023
2010114910.tif 000024
2010114910.tif 000025
2010114910.tif 000026
2010114910.tif 000027
2010114910.tif 000028